(57)【要約】【課題】  カスピダー装置のスピットンボールを着座していく患者のうがいが行いやすいように患者側に回転するという構成のものが開発されているが、スピットンボールが椅子に接触するという可能性もあり、施術器具を使用して治療している時に他の者が治療中であることを知らずに歯科医に接触するという問題があった。【解決手段】  歯科用椅子１と、該椅子の近傍に設置され椅子側に接近可能な位置に変位するドクターテーブル２と、該ドクターテーブルを前記椅子の動作時に干渉する位置まで接近させたことを検出すると出力を送出するセンサｄと、該センサよりの出力が送出されるとカスピダー装置の外部から見やすい位置に設けられたインジケーターの発光色を変更して表示すると共に前記椅子の動作を禁止する制御回路５とから構成した歯科治療装置の動作状態表示装置である。【選択図】        図１
2006122383.tif 000002
【特許請求の範囲】
【請求項１】
歯科用椅子と、該椅子の近傍に設置され椅子側に接近可能な位置に変位するドクターテーブルと、該ドクターテーブルを前記椅子の動作時に干渉する位置まで接近させたことを検出すると出力を送出するセンサと、該センサよりの出力が送出されるとカスピダー装置の外部から見やすい位置に設けられたインジケーターの発光色を変更して表示すると共に前記椅子の動作を禁止する制御回路とから構成したことを特徴とする歯科治療装置の動作状態表示装置。
【請求項２】
歯科用椅子と、該椅子の近傍に設置され椅子側に接近可能な位置に変位するドクターテーブルと、該ドクターテーブルを前記椅子の動作時に干渉する位置まで接近させる出力を送出するセンサと、患者の前記椅子への導入時および椅子からの退席時に前記ドクターテーブルを邪魔にならない位置まで戻したことを検出すると出力を送出するセンサと、前記２つのセンサの内の何れかよりの出力が送出されるとカスピダー装置の外部から見やすい位置に設けられたインジケーターの発光色を変更して表示すると共に前記椅子の動作を禁止する制御回路とから構成したことを特徴とする歯科治療装置の動作状態表示装置。
【請求項３】
歯科用椅子と、該椅子の近傍に設置され患者のうがい時に回転することで前記椅子側に接近可能な位置に変位するカスピダー装置のスピットンボールと、該スピットンボールが前記椅子の動作時に干渉する位置まで接近させると出力を送出するセンサと、該センサよりの出力が送出されると前記カスピダー装置の外部から見やすい位置に設けられたインジケーターの発光色を変更して表示すると共に前記椅子の動作を禁止する制御回路とから構成したことを特徴とする歯科治療装置の動作状態表示装置。
【請求項４】
歯科用椅子と、該椅子の近傍に設置されたドクターテーブルと、該ドクターテーブルにハンドピース等の施術器具が外されたことを検出するスイッチ等の検出手段が設けられたホルダーと、前記検出手段よりの出力が送出されるとカスピダー装置の外部から見やすい位置に設けられたインジケーターの発光色を変更して表示する共に前記椅子の動作を禁止する制御回路とから構成したことを特徴とする歯科治療装置の動作状態表示装置。
【発明の詳細な説明】
【技術分野】
【０００１】
本発明は、歯科治療装置、例えば、スピットンボールを支持台から治療用椅子側に回転した場合や、ドクターテーブルを治療用椅子側に回転した場合に前記治療用椅子の上昇制御が阻止されていることを表示し、また、ハンドピース等の治療器具をホルダーから外した場合に治療中であることを表示する等の歯科治療装置の動作状態表示装置に関する。
【背景技術】
【０００２】
従来における歯科治療装置としては、例えば、特開２００２−２０９９５８に開示されていものがある。この公報には治療用椅子（以下、単に椅子という）を挟んでドクターテーブルとカスピダー装置が配置されている。そして、ドクターテーブルは椅子に近づけたり遠ざける構造となっており、また、カスピダー装置は固定式のものである。そして、この発明は、フットコントロールによって椅子の制御を行うのに変えて音声認識によって椅子等を制御するものである。
【特許文献１】特開２００２−２０９９５８号公報
【発明の開示】
【発明が解決しようとする課題】
【０００３】
ところで、前記した従来例にあっては、音声によって椅子の上下動制御を行うものであるが、ドクターテーブルを回動して椅子側に接近させた状態で、椅子を上昇させた場合には椅子とドクターテーブルが接触するという可能性があり、また、近年になってカスピダー装置のスピットンボールを着座していく患者のうがいが行いやすいように患者側に回転するという構成のものが開発されているが、このような場合にもスピットンボールが椅子に接触するという可能性もあり、施術器具を使用して治療している時に他の者が治療中であることを知らずに歯科医に接触するという問題もあった。
【０００４】
本発明は前記した問題点を解決せんとするもので、その目的とするところは、ドクターテーブルやスピットンボールが椅子の可動範囲に位置している時には、椅子の制御が行えないようにすると共に表示器を点灯し、また、医師による施術器具を使用しての治療中時にも表示器を点灯して他の者に治療中であることを知らせ、また、前記表示器の表示色を異ならしめることで、どのような状態であるかを知らしめるようにした歯科治療装置の動作状態表示装置を提供せんとするにある。
【課題を解決するための手段】
【０００５】
本発明の歯科治療送出の動作状態表示装置は前記した問題点を解決せんとするもので、請求項１の手段は、歯科用椅子と、該椅子の近傍に設置され椅子側に接近可能な位置に変位するドクターテーブルと、該ドクターテーブルを前記椅子の動作時に干渉する位置まで接近させたことを検出すると出力を送出するセンサと、該センサよりの出力が送出されるとカスピダー装置の外部から見やすい位置に設けられたインジケーターの発光色を変更して表示すると共に前記椅子の動作を禁止する制御回路とから構成したものである。
【０００６】
請求項２の手段は、歯科用椅子と、該椅子の近傍に設置され椅子側に接近可能な位置に変位するドクターテーブルと、該ドクターテーブルを前記椅子の動作時に干渉する位置まで接近させる出力を送出するセンサと、患者の前記椅子への導入時および椅子からの退席時に前記ドクターテーブルを邪魔にならない位置まで戻したことを検出すると出力を送出するセンサと、前記２つのセンサの内の何れかよりの出力が送出されるとカスピダー装置の外部から見やすい位置に設けられたインジケーターの発光色を変更して表示すると共に前記椅子の動作を禁止する制御回路とから構成したものである。
【０００７】
請求項３の手段は、歯科用椅子と、該椅子の近傍に設置され患者のうがい時に回転することで前記椅子側に接近可能な位置に変位するカスピダー装置のスピットンボールと、該スピットンボールが前記椅子の動作時に干渉する位置まで接近させると出力を送出するセンサと、該センサよりの出力が送出されると前記カスピダー装置の外部から見やすい位置に設けられたインジケーターの発光色を変更して表示すると共に前記椅子の動作を禁止する制御回路とから構成したものである。
【０００８】
請求項４の手段は、歯科用椅子と、該椅子の近傍に設置されたドクターテーブルと、該ドクターテーブルにハンドピース等の施術器具が外されたことを検出するスイッチ等の検出手段が設けられたホルダーと、前記検出手段よりの出力が送出されるとカスピダー装置の外部から見やすい位置に設けられたインジケーターの発光色を変更して表示する共に前記椅子の動作を禁止する制御回路とから構成したものである。
【発明の効果】
【０００９】
本発明は前記したように、ドクターテーブルが椅子に近づきすぎて椅子を上昇させることにより干渉するような状態時には、インジケーターによって干渉することを表示すると共に椅子の動作を禁止するようにしたので、歯科医等が気づかずに椅子を上昇させてドクターテーブルを破損することがないものである。
【００１０】
また、患者の椅子への導入や退席時にドクターテーブルを所定の位置まで退避させた状態時には、インジケーターによって患者の導入状態あるいは退席状態であることを表示すると共に椅子の動作を禁止するようにしたので、歯科医やアシスタントが患者の導入や退席においてドクターテーブルが邪魔になることがないことを前記表示によって確認でき、また、椅子の動作が行われないことで患者が椅子に当接することがないものである。
【００１１】
さらに、スピットンボールを着座している患者側に変位しすぎて椅子を上昇させることにより干渉するような状態時には、インジケーターによって干渉することを表示すると共に椅子の動作を禁止するようにしたので、歯科医等が気づかずに椅子を上昇させてスピットンボールを破損することがないものである。
【００１２】
また、施術器具をホルダーから外してフットコントロールによって作動させるとインジケーターによって治療中であるとの表示が行われると共に椅子の動作を禁止するようにしたので、前記インジケーターを見ることで治療中であることを他の人に知らしめることができ、従って、集中して治療作業を行うことができ、かつ、この治療中には椅子が動作しないことで治療行為がやり易い等の効果を有するものである。
【発明を実施するための最良の形態】
【００１３】
本発明は、ドクターテーブルが椅子に近づきすぎて椅子を上昇させることにより干渉するような状態時には、インジケーターによって干渉することを表示すると共に椅子の動作を禁止するようにした。
【実施例１】
【００１４】
以下、本発明に係る歯科治療装置の動作状態表示装置の一実施例を図面と共に説明する。
図１は歯科治療装置の全体平面図、図２はカスピダー装置の斜視図、図３はドクターテーブルの側面図である。
図において、１は治療用椅子（以下、単に椅子という）にして、椅子の背凭れ側面に設置された公知の操作ボタン（図示せず）を操作することで、椅子に内蔵された椅子駆動手段ａを制御して座部１ａを上下動および背凭れ１ｂと前垂れ１ｂの起伏動作が行われる。なお、前垂れには起立時に床面と前垂れ下端との間に物が挟まるとオンとなるスイッチｂが取付けられている。また、前記椅子１の肘掛け等の患者の手が届く位置には患者が治療中に痛くなったり歯科医と話がしたくなった時に操作する呼出しスイッチｃが取付けられている。
【００１５】
２はドクターテーブルにして、前記椅子１の下部側に水平方向に回転自在に元アーム２ａが軸支され、該アーム２ａの先端に回転自在で、かつ、上下動自在に取付けられたバランスアーム２ｂにテーブル２ｃが取付けられている。なお、前記元アーム２ａとバランスアーム２ｂには検出するリミットスイッチやポテンショメータ等の回転角センサｄ，ｅが取付けられている。
【００１６】
また、テーブル２ｃには操作パネル２ｄが装備されており、この操作パネル２ｄにはハンドピース等の動作状態（例えば、回転数）を表示するための表示面や、複数の歯科医が居る場合にどの歯科医が治療装置を使用しているか等の表示色を変更するための操作スイッチｆや朝の始業時にハンドピース内に溜まっている水を排水させるため、およびスピットン給水内に溜まっている水を排水させるためのフラッシュアウト用の操作スイッチｇが装備されている。なお、前記操作スイッチｆ，ｇは後述する接続調整部４ｆに設けてもよい。
【００１７】
さらに、テーブル２ｃの前面側にはハンドピース等の施術器具２ｅを保持するホルダー２ｆが取付けられ、かつ、このホルダー２ｆには図示しないが前記施術器具ｅが外された時にオン状態となるスイッチが内蔵されている。なお、２ｇはＸ線写真等を写すモニター、３は前記椅子１の上下動、背凭れの起伏およびハンドピース等の施術器具２ｅの起動や回転を制御するためのフットコントローラである。
【００１８】
４は床面に設置されたカスピダー装置にして、水道栓４ｂが取付けられ、該水道栓４ａに近接してコップ置き４ｂが取付けられている。また、カスピダー装置４にはスピットンボール４ｃが椅子１側に向かって回転可能なように取付けられ、かつ、図示しないがスピットンボール４ｃの回転量を検出するマイクロスイッチやポテンショメータ等の回転角センサｉが取付けられている。
【００１９】
また、カスピダー装置４の前面には公知のアシスタントが使用する器具を支持するためのホルダー４ｄが前後方向に回動自在に取付けられている。さらに、上面にはそれぞれ３個の赤、青、緑色を発光する発光ダイオードが収容され、該発光ダイオードからの色を透過させる透明あるいは半透明の表示面を有するインジケーター２ｅが取付けられている。
【００２０】
なお、２ｆは器具よりのホースを接続するカプラーや床下に敷設されているエアー、水等の配管と接続するカプラー、水道水の水勢を調節する調節弁等が収容されている接続調整部であり、また、２ｇはティッシュペーパーを収納し、上面のテーブルの孔から取り出し可能に構成したティッシュ収容部である。
【００２１】
次に、図４のシステムブロック図の回路動作を図５の表に基づいて説明する。なお、図の符号は前記した符号と同一部材を示しているので説明は省略する。
図において、５は制御回路にして図５の表に示すイルミネーション２ｅ内の発光ダイオードの点灯制御と、椅子の上下動および背凭れと前垂れの起伏を行う椅子駆動手段を制御するものである。なお、図５の表におけるインジケーター４ｅで表示される色は一例であり、どのような色表示するかは自由に設定することが可能である。
【００２２】
表の最上段の動作から説明するに、椅子１に着座している患者の治療を開始するために、例えば、ハンドピース２ｅをホルダー２ｆから外しフットコントローラ３を踏み込み空電スイッチを作動させると、治療中であるとして制御回路５はインジケーター２ｅ内の発光ダイオードを黄色に点灯させると共に椅子駆動手段ａに対して動作禁止信号を出力して、椅子の上下動および背凭れと前垂れの駆動が行えないようにする。
【００２３】
表の２段目の動作は、歯科医がドクターテーブル２ｃを椅子１側に近づけた場合に、図１のハッチングで示した範囲を越えて回転させると、バランスアーム２ａの回転角センサｄから出力が出されるので、制御回路５はこの出力が予め設定されている値（椅子１を上昇させるとテーブル２ｃと干渉する恐れがある値）以上であると判断して、インジケーター２ｅ内の発光ダイオードを赤紫色に点灯させると共に椅子駆動手段ａに対して動作禁止信号を出力して、椅子の上下動および背凭れと前垂れの駆動が行えないようにする。
【００２４】
表の３段目の動作は、患者がうがいを行うためにスピットンボール４ｃを椅子側に回転させると、該スピットンボール４ｃの回転角を検出する回転角センサｈから出力が出されるので、制御回路５はこの出力が予め設定されている値（椅子１を上昇させるとスピントンボール４ｃと干渉する恐れがある値）以上であると判断して、インジケーター２ｅ内の発光ダイオードを赤紫色に点灯させると共に椅子駆動手段ａに対して動作禁止信号を出力して、椅子の上下動および背凭れ１ｂと前垂れ１ｃの駆動が行えないようにする。
【００２５】
表の４番目の動作は、患者を治療等のために椅子１に導入する場合や、治療が終了した患者を退席させるためにテーブル２ｃを図１の状態に戻すと、元アームに取付けられている回転角センサｅが出力を出すので、制御回路５はこの出力が予め設定されている値（テーブル２ｃが椅子１から離れて患者に当たらない値）であると判断して、インジケーター２ｅ内の発光ダイオードを赤紫色に点灯させると共に椅子駆動手段ａに対して動作禁止信号を出力して、椅子の上下動駆動が行えないようにする。
【００２６】
表の５段目の動作は、治療等が終了して椅子１を下降させると共に背凭れ２ａと前垂れ２ｃを起立方向に回動させるが、この前垂れ２ｃの起立方向への回動時に、該前垂れ２ｃの下面と床面との間に物が挟まって前垂れスイッチｂがオンとなるので、制御回路５はこのスイッチオンの出力を受けると、インジケーター２ｅ内の発光ダイオードを赤紫色に点灯させると共に動作中の椅子駆動手段ａに対して停止信号を送出し椅子のそれ以上の動作を停止させ、あるいは、椅子を上昇させるべく椅子駆動手段ａに対して信号を送出する。
【００２７】
表の６段目の動作は、複数の歯科医が居る場合にどの歯科医が治療装置を使用しているか等の表示色を変更するための操作スイッチｆを操作すると、操作する毎に制御回路５はインジケーター４ｅ内の発光ダイオードの色を青、緑、黄色に変化させ、歯科医が予め決めている色を選択して表示することで、インジケーター４ｅの色を見ることで、担当の歯科医が誰であるかを一見して知ることができる。
【００２８】
表の７段目の動作は、朝の始業時にハンドピース内に溜まっている水を排水させるため、およびスピットン給水内に溜まっている水を排水させるためのフラッシュアウト用の操作スイッチｇを操作すると、制御回路５はハンドピースのフラッシュアウト時にはインジケーター４ｅ内の発光ダイオードの色を青色点滅させ、給水内のフラッシュアウト時にはインジケーター４ｅ内の発光ダイオードの色を水色点滅させる。
【００２９】
表の８段目の動作は、患者が治療中に痛いと思った時や歯科医と話がした時に肘掛け等に設置されている呼出しスイッチｃを押すと、制御回路５は該スイッチｃが押されたとしてインジケーター４ｅ内の発光ダイオードの色を緑色点滅させて歯科医に知らせることができる。
【００３０】
表の９段目の動作は、治療の１つである歯の表面に光硬化性樹脂を接着剤を使用して固定するための前治療である歯の表面を薬液を使用してエッチング処理を行う場合に、例えば、操作パネルに設けられているスイッチを操作すると、制御回路５はタイマー動作を開始しインジケーター４ｅ内の発光ダイオードの色を、青、緑、赤、白色に順次点滅させて時間の経過を歯科医に知らせる。
【００３１】
なお、前記した表の各動作は一例であり、インジケーター４ｅによる表示や椅子１の動作禁止はその他の治療等にも応用できるものである。
【図面の簡単な説明】
【００３２】
【図１】熱交換器に係る歯科治療装置の動作状態表示装置の全体を示す平面図である。
【図２】ドクターテーブルとフットコントローラを示す側面図である。
【図３】カスピダー装置を示す斜視図である。
【図４】システムブロック図である。
【図５】動作を説明するための動作表である。
【符号の説明】
【００３３】
１          椅子
２          ドクターテーブル
２ｃ        テーブル
２ｆ        ホルダー
３          フットコントローラ
４          カスピダー装置
４ｃ        スピットンボール
４ｅ        インジケーター
５          制御回路
ｄ，ｅ，ｉ  回転角センサ
ｈ          ホルダースイッチ
【図１】
2006122383.tif 000003
【図２】
2006122383.tif 000004
【図３】
2006122383.tif 000005
【図４】
2006122383.tif 000006
【図５】
2006122383.tif 000007